(57)【要約】【課題】  コンテンツを再生している送信装置を自動的に受信装置に接続させる。【解決手段】  受信装置１００と送信装置２００とが自動的に無線接続したあと、受信装置１００は送信装置２００からコンテンツ再生に関するステータスを受信する。受信装置１００は、送信装置２００が再生中であるか否かを判断し、再生中であればそのまま送信装置２００と無線接続を維持する。一方、再生中でなければ、受信装置１００は、送信装置２００との接続を切断し、他の送信装置２００と無線接続し、接続した送信装置２００が再生中であるか否かを判断する。この処理を繰り返すことによって、受信装置１００は、コンテンツを再生している送信装置２００に自動的に接続することができる。【選択図】図３
2012238922.tif 000002
【特許請求の範囲】
【請求項１】
受信装置と、前記受信装置に無線接続可能な１または複数の送信装置とを備え、
前記受信装置が、
前記送信装置を探索する探索手段と、
前記探索手段によって探索された前記送信装置と無線接続する第１接続手段と、
前記送信装置からコンテンツを受信するコンテンツ受信手段と、
前記送信装置からコンテンツ再生に関するステータスを受信するステータス受信手段と、
受信されたステータスがコンテンツ再生中であるか否かを判断する判断手段と、
受信されたステータスがコンテンツ再生中であると判断された場合、前記第１接続手段に前記送信装置との接続を維持させ、受信されたステータスがコンテンツを再生していないことを示すステータスであると判断された場合、前記第１接続手段に前記送信装置との接続を切断させ、かつ、前記探索手段によって探索された他の前記送信装置と無線接続させる接続制御手段とを有し、
前記送信装置が、
前記探索手段によって探索された場合、前記受信装置と無線接続する第２接続手段と、
前記受信装置にコンテンツを送信するコンテンツ送信手段と、
前記受信装置にコンテンツ再生に関するステータスを送信するステータス送信手段とを有する、コンテンツ送受信システム。
【請求項２】
受信装置と、前記受信装置に無線接続可能な１または複数の送信装置とを備え、
前記受信装置が、
前記送信装置を探索する探索手段と、
前記探索手段によって探索された前記送信装置と無線接続する第１接続手段と、
前記送信装置からコンテンツを受信するコンテンツ受信手段と、
前記送信装置から、再生アプリケーションプログラムが起動済であるかの情報を受信する情報受信手段と、
前記送信装置において再生アプリケーションプログラムが起動済であるかを判断する判断手段と、
前記送信装置において再生アプリケーションプログラムが起動済であると判断された場合、前記第１接続手段に前記送信装置との接続を維持させ、前記送信装置において再生アプリケーションプログラムが起動済でないと判断された場合、前記第１接続手段に前記送信装置との接続を切断させ、かつ、前記探索手段によって探索された他の前記送信装置と無線接続させる接続制御手段とを有し、
前記送信装置が、
前記探索手段によって探索された場合、前記受信装置と無線接続する第２接続手段と、
前記受信装置にコンテンツを送信するコンテンツ送信手段と、
前記受信装置に、再生アプリケーションプログラムが起動済であるかの情報を送信する情報送信手段とを有する、コンテンツ送受信システム。
【請求項３】
受信装置と、前記受信装置に無線接続可能な１または複数の送信装置とを備え、
前記受信装置が、
前記送信装置を探索する探索手段と、
前記探索手段によって探索された前記送信装置と無線接続する第１接続手段と、
前記送信装置からコンテンツを受信するコンテンツ受信手段と、
前記送信装置からコンテンツ再生に関するステータスを受信するステータス受信手段と、
受信されたステータスがコンテンツ再生中であるか否かを判断する第１判断手段と、
前記送信装置から、再生アプリケーションプログラムが起動済であるかの情報を受信する情報受信手段と、
前記送信装置において再生アプリケーションプログラムが起動済であるかを判断する第２判断手段と、
（Ａ）受信されたステータスがコンテンツ再生中であると判断されたとき前記第１接続手段に前記送信装置との接続を維持させ、（Ｂ）受信されたステータスがコンテンツを再生していないことを示すステータスであり、かつ、前記送信装置において再生アプリケーションプログラムが起動済であると判断されたとき、（ｂ−１）所定時間以内に前記送信装置がコンテンツ再生を実行した場合、前記第１接続手段に前記送信装置との接続を維持させ、（ｂ−２）所定時間以内に前記送信装置がコンテンツ再生を実行しなかった場合、前記第１接続手段に前記送信装置との接続を切断させ、かつ、前記探索手段によって探索された他の前記送信装置と無線接続させ、（Ｃ）受信されたステータスがコンテンツを再生していないことを示すステータスであり、かつ、前記送信装置において再生アプリケーションプログラムが起動済でないと判断されたとき、前記第１接続手段に前記送信装置との接続を切断させ、かつ、前記探索手段によって探索された他の前記送信装置と無線接続させる接続制御手段とを有し、
前記送信装置が、
前記探索手段によって探索された場合、前記受信装置と無線接続する第２接続手段と、
前記受信装置にコンテンツを送信するコンテンツ送信手段と、
前記受信装置にコンテンツ再生に関するステータスを送信するステータス送信手段と、
前記受信装置に、再生アプリケーションプログラムが起動済であるかの情報を送信する情報送信手段とを有する、コンテンツ送受信システム。
【請求項４】
受信装置と、前記受信装置に無線接続可能な１または複数の送信装置とを備え、
前記受信装置が、
前記送信装置を探索する探索手段と、
前記探索手段によって探索された前記送信装置と無線接続する第１接続手段と、
前記送信装置からコンテンツを受信するコンテンツ受信手段と、
前記送信装置からコンテンツ再生に関するステータスを受信するステータス受信手段と、
受信されたステータスがコンテンツ再生中であるか否かを判断する第１判断手段と、
前記送信装置から、再生アプリケーションプログラムが起動済であるかの情報を受信する情報受信手段と、
前記送信装置において再生アプリケーションプログラムが起動済であるかを判断する第２判断手段と、
探索された１または複数の前記送信装置の中から、第１優先順位として、前記第１接続手段に、ステータスがコンテンツ再生中である１つの前記送信装置と無線接続させ、ステータスがコンテンツ再生中である前記送信装置が存在しない場合に、第２優先順位として、前記第１接続手段に、再生アプリケーションプログラムが起動済である１つの前記送信装置と無線接続させる接続制御手段とを有し、
前記送信装置が、
前記探索手段によって探索された場合、前記受信装置と無線接続する第２接続手段と、
前記受信装置にコンテンツを送信するコンテンツ送信手段と、
前記受信装置にコンテンツ再生に関するステータスを送信するステータス送信手段と、
前記受信装置に、再生アプリケーションプログラムが起動済であるかの情報を送信する情報送信手段とを有する、コンテンツ送受信システム。
【請求項５】
請求項１〜４のいずれかに記載のコンテンツ送受信システムにおける前記受信装置。
【請求項６】
請求項１〜４のいずれかに記載のコンテンツ送受信システムにおける前記送信装置。
【発明の詳細な説明】
【技術分野】
【０００１】
本発明は、受信装置と、受信装置に無線接続可能な送信装置とを備えるコンテンツ送受信システムに関する。
【背景技術】
【０００２】
音楽ファイルを記録可能なフラッシュメモリ等の記憶媒体を有する送信装置と、アンプ装置およびスピーカーを有する受信装置とを備えるコンテンツ送受信システムが利用されている。送信装置は、音楽ファイルを再生し、音楽データを例えばBluetooth等の無線を使用して受信装置に送信する。受信装置は、音楽データを受信して、増幅して、スピーカーから音声を出力する。例えば、ユーザが屋外において、送信装置によって再生される音楽データをヘッドフォンを利用して聞いている状態から、帰宅した後に受信装置のスピーカーからの音声出力に切り換えたい状況がある。この場合、ユーザは送信装置または受信装置を操作することで、送信装置および受信装置を無線通信を介して相互に接続させる必要がある。この操作が非常に煩雑であり、ヘッドフォンを使用した音声出力から、宅内において受信装置を使用した音声出力に切り換える際の障壁となっている。
【０００３】
この問題を解決するために、送信装置と受信装置とが自動的に無線接続することによって、ユーザ操作を不要とする無線接続方法が提案されている。しかし、受信装置の近辺に複数の送信装置が存在する場合に、音楽ファイルを再生していないユーザが意図しない送信装置が受信装置に自動的に接続され、音楽ファイルを再生しているユーザが意図する送信装置が受信装置に接続されないことがある。この場合、ユーザ操作によって、受信装置に自動的に接続された送信装置を一旦接続解除し、音楽ファイルを再生しているユーザが意図する送信装置を受信装置に再度接続させる必要があり、余計な操作が増えてしまう。
【０００４】
下記特許文献１には、「ヘッドセット１０には、装着検出部１８が設けられ、この装着検出部１８にてヘッドセット１０が使用者に装着されているか否かを検出することで、ヘッドセット１０の使用状態に応じて、無線通信の相手となる音楽再生装置４０との間の無線通信接続の確立及び切断の制御を自動的に実行する。」ことが記載されている。しかし、この文献に記載された技術によると、コンテンツ受信装置であるヘッドセット１０に装着検出部１８といった特別なハードウェアを設ける必要があり、現実的ではない。
【先行技術文献】
【特許文献】
【０００５】
【特許文献１】特開２００４−２９７２５６号公報
【発明の概要】
【発明が解決しようとする課題】
【０００６】
本発明は上記従来の課題を解決するためになされたものであり、その目的は、コンテンツを再生している送信装置を自動的に受信装置に接続させることができるコンテンツ送受信システムを提供することである。
【課題を解決するための手段】
【０００７】
本発明の好ましい実施形態によるコンテンツ送受信システムは、受信装置と、前記受信装置に無線接続可能な１または複数の送信装置とを備え、前記受信装置が、前記送信装置を探索する探索手段と、前記探索手段によって探索された前記送信装置と無線接続する第１接続手段と、前記送信装置からコンテンツを受信するコンテンツ受信手段と、前記送信装置からコンテンツ再生に関するステータスを受信するステータス受信手段と、受信されたステータスがコンテンツ再生中であるか否かを判断する判断手段と、受信されたステータスがコンテンツ再生中であると判断された場合、前記第１接続手段に前記送信装置との接続を維持させ、受信されたステータスがコンテンツを再生していないことを示すステータスであると判断された場合、前記第１接続手段に前記送信装置との接続を切断させ、かつ、前記探索手段によって探索された他の前記送信装置と無線接続させる接続制御手段とを有し、前記送信装置が、前記探索手段によって探索された場合、前記受信装置と無線接続する第２接続手段と、前記受信装置にコンテンツを送信するコンテンツ送信手段と、前記受信装置にコンテンツ再生に関するステータスを送信するステータス送信手段とを有する。
【０００８】
受信装置と送信装置とが自動的に無線接続したあと、受信装置は送信装置からコンテンツ再生に関するステータスを受信する。受信装置は、送信装置が再生中であるか否かを判断し、再生中であればそのまま無線接続を維持する。一方、再生中でなければ、受信装置は、送信装置との接続を切断し、他の送信装置と無線接続し、接続した送信装置が再生中であるかを判断する。この処理を繰り返すことによって、受信装置は、コンテンツを再生している送信装置に自動的に接続することができる。
【０００９】
本発明の別の好ましい実施形態によるコンテンツ送受信システムは、受信装置と、前記受信装置に無線接続可能な１または複数の送信装置とを備え、前記受信装置が、前記送信装置を探索する探索手段と、前記探索手段によって探索された前記送信装置と無線接続する第１接続手段と、前記送信装置からコンテンツを受信するコンテンツ受信手段と、前記送信装置から、再生アプリケーションプログラムが起動済であるかの情報を受信する情報受信手段と、前記送信装置において再生アプリケーションプログラムが起動済であるかを判断する判断手段と、前記送信装置において再生アプリケーションプログラムが起動済であると判断された場合、前記第１接続手段に前記送信装置との接続を維持させ、前記送信装置において再生アプリケーションプログラムが起動済でないと判断された場合、前記第１接続手段に前記送信装置との接続を切断させ、かつ、前記探索手段によって探索された他の前記送信装置と無線接続させる接続制御手段とを有し、前記送信装置が、前記探索手段によって探索された場合、前記受信装置と無線接続する第２接続手段と、前記受信装置にコンテンツを送信するコンテンツ送信手段と、前記受信装置に、再生アプリケーションプログラムが起動済であるかの情報を送信する情報送信手段とを有する。
【００１０】
受信装置と送信装置とが自動的に無線接続したあと、受信装置は送信装置から再生アプリケーションプログラムが起動済であるかの情報を受信する。受信装置は、送信装置において再生アプリケーションプログラムが起動済であるかを判断し、再生アプリケーションプログラムが起動済であればそのまま無線接続を維持する。再生アプリケーションプログラムが起動済であるということは、コンテンツを再生している、または、コンテンツをこれから再生する可能性が高いからである。一方、再生アプリケーションプログラムが起動済でない場合、受信装置は、送信装置との接続を切断し、他の送信装置と無線接続し、接続した送信装置において再生アプリケーションプログラムが起動済であるかを判断する。この処理を繰り返すことによって、受信装置は、コンテンツを再生している可能性が高い送信装置に自動的に接続することができる。
【００１１】
本発明のさらに別の好ましい実施形態によるコンテンツ送受信システムは、受信装置と、前記受信装置に無線接続可能な１または複数の送信装置とを備え、前記受信装置が、前記送信装置を探索する探索手段と、前記探索手段によって探索された前記送信装置と無線接続する第１接続手段と、前記送信装置からコンテンツを受信するコンテンツ受信手段と、前記送信装置からコンテンツ再生に関するステータスを受信するステータス受信手段と、受信されたステータスがコンテンツ再生中であるか否かを判断する第１判断手段と、前記送信装置から、再生アプリケーションプログラムが起動済であるかの情報を受信する情報受信手段と、前記送信装置において再生アプリケーションプログラムが起動済であるかを判断する第２判断手段と、（Ａ）受信されたステータスがコンテンツ再生中であると判断されたとき前記第１接続手段に前記送信装置との接続を維持させ、（Ｂ）受信されたステータスがコンテンツを再生していないことを示すステータスであり、かつ、前記送信装置において再生アプリケーションプログラムが起動済であると判断されたとき、（ｂ−１）所定時間以内に前記送信装置がコンテンツ再生を実行した場合、前記第１接続手段に前記送信装置との接続を維持させ、（ｂ−２）所定時間以内に前記送信装置がコンテンツ再生を実行しなかった場合、前記第１接続手段に前記送信装置との接続を切断させ、かつ、前記探索手段によって探索された他の前記送信装置と無線接続させ、（Ｃ）受信されたステータスがコンテンツを再生していないことを示すステータスであり、かつ、前記送信装置において再生アプリケーションプログラムが起動済でないと判断されたとき、前記第１接続手段に前記送信装置との接続を切断させ、かつ、前記探索手段によって探索された他の前記送信装置と無線接続させる接続制御手段とを有し、前記送信装置が、前記探索手段によって探索された場合、前記受信装置と無線接続する第２接続手段と、前記受信装置にコンテンツを送信するコンテンツ送信手段と、前記受信装置にコンテンツ再生に関するステータスを送信するステータス送信手段と、前記受信装置に、再生アプリケーションプログラムが起動済であるかの情報を送信する情報送信手段とを有する。
【００１２】
受信装置に無線接続された送信装置において、再生アプリケーションが起動済であれば、所定時間の猶予が与えられ、所定時間以内にコンテンツ再生が実行されると、受信装置は送信装置との無線接続を維持する。従って、自動的に無線接続した時点で、送信装置において再生アプリケーションを起動済みであり、ユーザがコンテンツを再生アプリケーションから選択し、コンテンツを再生開始させようとしている場合に、送信装置と受信装置との無線接続が自動的に切断されてしまうことを防止できる。
【００１３】
本発明のさらに別の好ましい実施形態によるコンテンツ送受信システムは、受信装置と、前記受信装置に無線接続可能な１または複数の送信装置とを備え、前記受信装置が、前記送信装置を探索する探索手段と、前記探索手段によって探索された前記送信装置と無線接続する第１接続手段と、前記送信装置からコンテンツを受信するコンテンツ受信手段と、前記送信装置からコンテンツ再生に関するステータスを受信するステータス受信手段と、受信されたステータスがコンテンツ再生中であるか否かを判断する第１判断手段と、前記送信装置から、再生アプリケーションプログラムが起動済であるかの情報を受信する情報受信手段と、前記送信装置において再生アプリケーションプログラムが起動済であるかを判断する第２判断手段と、探索された１または複数の前記送信装置の中から、第１優先順位として、前記第１接続手段に、ステータスがコンテンツ再生中である１つの前記送信装置と無線接続させ、ステータスがコンテンツ再生中である前記送信装置が存在しない場合に、第２優先として、前記第１接続手段に、再生アプリケーションプログラムが起動済である１つの前記送信装置と無線接続させる接続制御手段とを有し、前記送信装置が、前記探索手段によって探索された場合、前記受信装置と無線接続する第２接続手段と、前記受信装置にコンテンツを送信するコンテンツ送信手段と、前記受信装置にコンテンツ再生に関するステータスを送信するステータス送信手段と、前記受信装置に、再生アプリケーションプログラムが起動済であるかの情報を送信する情報送信手段とを有する。
【００１４】
この場合、受信装置が最初に全ての送信装置に接続して、コンテンツ再生に関するステータスを全ての送信装置から受信し、再生中の送信装置があれば、再生中の送信装置の１つとの無線接続を維持する。一方、再生中の送信装置がなければ、受信装置は、再生アプリケーションプログラムが起動済であるかの情報を全ての送信装置から受信し、再生アプリケーションプログラムが起動済である送信装置があれば、再生アプリケーションプログラムが起動済である送信装置の１つとの無線接続を維持する。従って、受信装置は、コンテンツを再生している、または、コンテンツを再生してる可能性が高い送信装置に自動的に接続することができる。
【発明の効果】
【００１５】
コンテンツを再生している送信装置を自動的に受信装置に接続させることができるコンテンツ送受信システムを提供することができる。
【図面の簡単な説明】
【００１６】
【図１】本発明の好ましい実施形態による受信装置１００と送信装置２００とを示すブロック図である。
【図２Ａ】受信装置１００と送信装置２００との接続動作概要を示す図である。
【図２Ｂ】受信装置１００と送信装置２００との接続動作概要を示す図である。
【図２Ｃ】送信装置管理テーブルを示す図である。
【図３】受信装置１００のＣＰＵ１の処理を示すフローチャートである。
【図４】送信装置２００のＣＰＵ１１の処理を示すフローチャートである。
【図５】受信装置１００のＣＰＵ１の処理を示すフローチャートである。
【図６】送信装置２００のＣＰＵ１１の処理を示すフローチャートである。
【図７】受信装置１００のＣＰＵ１の処理を示すフローチャートである。
【図８】送信装置２００のＣＰＵ１１の処理を示すフローチャートである。
【図９】受信装置１００のＣＰＵ１の処理を示すフローチャートである。
【図１０】受信装置１００のＣＰＵ１と送信装置２００のＣＰＵ１１との処理を示すフローチャートである。
【発明を実施するための形態】
【００１７】
以下、本発明の好ましい実施形態について、図面を参照して具体的に説明するが、本発明はこれらの実施形態には限定されない。
【００１８】
図１は、本発明の好ましい実施形態によるコンテンツ再生システムを示す概略ブロック図である。コンテンツ再生システムは、コンテンツ受信装置（以下、受信装置という。）１００と、コンテンツ送信装置（以下、送信装置という。）２００とを備える。受信装置１００は、例えば各部屋に１つずつ配置された据置型のオーディオ装置である。送信装置２００は、各個人が所持、携帯する音楽プレーヤ、パーソナルコンピュータ、スマートフォン、携帯電話機、携帯型ゲーム機等である。コンテンツは、音楽ファイル（音楽データ）、音声ファイル（音声データ）、映像ファイル（映像データ）、静止画ファイル（静止画データ）等の総称であるが、本実施形態においては音楽ファイル（音楽データ）である。
【００１９】
受信装置１００と送信装置２００とは、例えば、Bluetooth等の任意の規格の無線通信によって相互に接続可能である。送信装置２００は、自身が記録している音楽フィルを再生し、再生した音楽データを無線経由で、受信装置１００に送信する。受信装置１００は、送信装置２００から送信された音楽データを受信し、増幅して、スピーカーから音声を出力する。
【００２０】
図２Ａ、図２Ｂは、本実施形態の概要を示す図である。受信装置１００は、送信装置２００を自動的に探索することにより、探索された送信装置（例えば送信装置２００Ａ）と自動的に無線接続する（図２Ａ（ａ））。「自動的に」とは、ユーザ操作を要することなくという意味である。無線接続した送信装置２００Ａは、受信装置１００に対して無線を介して音楽ファイルの再生に関するステータスを送信する。受信装置１００は、送信装置２００Ａからステータスを受信する（図２Ａ（ｂ））。ここでは、送信装置２００Ａは音楽ファイルを再生停止中であるので、送信されるステータスは「停止中」である。受信装置１００は、受信されたステータスが「再生中」であるか否かを判断する。ここでは、受信されたステータスが音楽ファイルを再生していないことを示す「停止」ある。従って、受信装置１００は、送信装置２００Ａとの接続を切断させる（図２Ａ（ｃ））。
【００２１】
受信装置１００は、送信装置２００Ａとの接続を切断したあと、探索された他の送信装置２００（例えば送信装置２００Ｂ）と自動的に無線接続する（図２Ｂ（ａ））。無線接続した送信装置２００Ｂは、受信装置１００に対して無線を介して音楽ファイルの再生に関するステータスを送信する。受信装置１００は、送信装置２００Ｂからステータスを受信する（図２Ｂ（ｂ））。ここでは、送信装置２００Ｂは音楽ファイルを再生中であるので、送信されるステータスは「再生中」である。受信装置１００は、受信されたステータスが「再生中」であるか否かを判断する。ここでは、受信されたステータスが「再生中」ある。従って、受信装置１００は、送信装置２００Ｂとの接続を維持させる（図２Ｂ（ｃ））。
【００２２】
以上のように、本実施形態によると、受信装置１００は、音楽ファイルを再生中の送信装置を自動的に判別して接続することができる。
【００２３】
図１に示すように、受信装置１００は、ＣＰＵ１と、ＲＡＭやフラッシュメモリ等の書換可能メモリ２と、ＲＯＭ３と、通信部４と、再生部５と、スピーカー６とを概略備える。ＣＰＵ１は、ＲＯＭ３に格納されている受信装置１００の動作プログラムに基づいて受信装置１００の各部を制御する。
【００２４】
書換可能メモリ２には図２Ｃに示す送信装置管理テーブルが格納されている。送信装置管理テーブルには所定数（本例では８つ）の項目が存在し、各項目には送信装置２００の識別情報を登録可能である。識別情報は受信装置１００と送信装置２００とがペアリングした際に相互に交換しあい登録される情報であり、例えば、送信装置２００のアドレスと暗号鍵との組合せである。なお、図２Ｃでは、送信装置の識別情報を単に「送信装置Ａ」等と略して記述する。
【００２５】
通信部４は、送信装置２００の通信部１８と接続して通信し、各種の制御コマンドや、音楽データ等を送信装置２００との間で送受信する。通信部４は、例えばBluetoothの無線送受信機である。再生部５は、通信部４が送信装置２００から受信した音楽データを再生（例えば、デコード、Ｄ／Ａ変換、音量調整、増幅等）し、スピーカー６から音声を出力する。
【００２６】
送信装置２００は、ＣＰＵ１１と、ＲＡＭ１２と、ＲＯＭ１３と、フラッシュメモリ等のコンテンツ記憶部１４と、再生部１５と、表示部１６と、操作部１７と、通信部１８とを概略備える。ＣＰＵ１１は、ＲＯＭ１３に格納されている送信装置の動作プログラムに基づいて送信装置２００の各部を制御する。また、ＲＯＭ１３には再生アプリケーションプログラムがインストール又は記録されている。ＣＰＵ１１は、再生アプリケーションプログラムをＲＡＭ１２に読み出して実行する。
【００２７】
フラッシュメモリ１４には複数の音楽ファイルが記録されている。再生部１５は、再生アプリケーションプログラムに従って、フラッシュメモリ１４に記録されている音楽ファイルを再生し、通信部１８を介して受信装置１００に音楽データを送信する。表示部１６は、再生中の音楽ファイルのコンテンツ情報（曲名、アーティスト名等）を表示する。操作部１７は、ユーザ操作に基づく指示が入力されるものであり、送信装置２００の筐体に設けられた操作ボタンやタッチパネル等である。通信部１８は、送信装置１００の通信部４と通信し、各種の制御コマンドや、音楽データ等を受信装置１００との間で送受信する。通信部１８は、例えばBluetoothの無線送受信機である。
【００２８】
以下、本実施形態の動作を説明する。図３は、受信装置１００のＣＰＵ１の処理を示すフローチャートである。図４は、送信装置２００のＣＰＵ１１の処理を示すフローチャートである。受信装置１００のＣＰＵ１は、いずれの送信装置２００とも無線接続していない場合、送信装置管理テーブルから１つの送信装置２００を選択し、選択した送信装置２００を探索する処理を実行する（Ｓ１０１）。つまり、ＣＰＵ１は、選択した送信装置２００に対して探索コマンドを送信し、送信装置２００から応答コマンドを受信したか否かを判断する（Ｓ１０２）。
【００２９】
送信装置２００のＣＰＵ１１は、受信装置１００によって探索可能な状態に設定されている（Ｓ２０１）。ＣＰＵ１１は、受信装置１００から探索コマンドを受信したか否かを判断しており（Ｓ２０２）、受信した場合（Ｓ２０２でＹＥＳ）、ＣＰＵ１１は、受信装置１００に対して探索応答コマンドを返信する（Ｓ２０３）。受信装置１００のＣＰＵ１は、送信装置２００から探索応答コマンドを受信すると（Ｓ１０２でＹＥＳ）、受信装置１００と送信装置２００とが無線接続し、認証処理を実行するように各部を制御する（Ｓ１０３、Ｓ２０４）。
【００３０】
続いて、受信装置１００のＣＰＵ１は、無線接続した送信装置２００に対して、音楽再生に関するステータスの送信を要求する（Ｓ１０４）。音楽再生に関するステータスには、「再生中」、「一時停止」、「停止」等が存在する。送信装置２００のＣＰＵ１１は、受信装置１００から音楽再生に関するステータスの送信要求を受信したか否かを判断している（Ｓ２０５）。受信した場合（Ｓ２０５でＹＥＳ）、ＣＰＵ１１は、音楽再生に関する現在のステータスを受信装置１００に送信する（Ｓ２０６）。例えば、音楽ファイルを再生中であれば「再生中」のステータスを送信する。音楽ファイルを再生停止中であれば、「停止」のステータスを送信する。
【００３１】
受信装置１００のＣＰＵ１は、送信装置２００から音楽再生に関するステータスを受信し（Ｓ１０５）、受信したステータスが「再生中」であるか否かを判断する（Ｓ１０６）。「再生中」であれば（Ｓ１０６でＹＥＳ）、送信装置２００が再生している音楽ファイルの音楽データを受信することができるので、このまま送信装置２００との接続を維持する（Ｓ１０７）。従って、受信装置１００のＣＰＵ１は、送信装置２００から音楽データを受信し、再生部５に音楽データを再生させ、スピーカー６から音声を出力する。
【００３２】
一方、受信したステータスが「再生中」でははなく「一時停止」や「停止」等の音楽ファイルを再生していないことを示すものであれば（Ｓ１０６でＮＯ）、ＣＰＵ１は、現在無線接続している送信装置１００との接続を切断し、認証を解除して（Ｓ１０９）、Ｓ１０１に戻る。送信装置２００のＣＰＵ１１は、受信装置１００から無線接続を切断されたか否かを判断し（Ｓ２０７）、切断された場合（Ｓ２０７でＹＥＳ）、Ｓ２０１に戻って、再度、探索を待機する状態になる。受信装置１００から無線接続を切断されない場合（Ｓ２０７でＮＯ）、受信装置１００との無線接続を維持し、音楽ファイルを再生し、音楽データを受信装置１００に送信する（Ｓ２０８）。
【００３３】
受信装置１００のＣＰＵ１は、Ｓ１０１に戻ると、再度、送信装置管理テーブルから別の送信装置２００を１つ選択し、選択した送信装置２００を探索する。従って、受信装置１００は、ステータスが「再生中」の送信装置２００と接続するまで、送信装置２００の探索、接続、認証、および切断の処理を自動的に繰り返す。これにより、音楽ファイルを再生中ではない送信装置２００に受信装置１００が自動的に無線接続してしまい、受信装置１００が音楽を再生できないことを防止できる。すなわち、受信装置１００は、音楽ファイルを再生中の送信装置２００と自動的に無線接続し、音楽データを自動的に再生することができる。
【００３４】
次に、本発明の別の好ましい実施形態を説明する。図５は、受信装置１００のＣＰＵ１の処理を示すフローチャートである。図６は、送信装置２００のＣＰＵ１１の処理を示すフローチャートである。なお、図３、図４と同じ処理には同一符号を付し、説明を援用する。Ｓ１０３、Ｓ２０４において受信装置１００と送信装置２００とが無線接続および認証処理を実行したあと、受信装置１００のＣＰＵ１は、無線接続した送信装置２００に対して、再生アプリケーションプログラム（以下、再生アプリという。）を起動済みであるか否かの問い合せを送信する（Ｓ１１１）。再生アプリは、コンテンツ（音楽ファイル）を管理、表示、選択、再生等するためのアプリケーションプログラムである。「再生アプリが起動済」とは、例えばユーザ操作によって再生アプリのアイコンが選択され、再生アプリがＲＡＭ内で展開されており、音楽ファイルを再生可能な状態になっていることを意味する。送信装置２００のＣＰＵ１１は、受信装置１００から再生アプリが起動済みであるかの問い合せを受信したか否かを判断している（Ｓ２１１）。受信した場合（Ｓ２１１でＹＥＳ）、ＣＰＵ１１は、再生アプリが起動済みであるかの情報を受信装置１００に送信する（Ｓ２１２）。
【００３５】
受信装置１００のＣＰＵ１は、送信装置２００から再生アプリを起動済みであるかの情報を受信し（Ｓ１１２）、送信装置２００において再生アプリが起動済みであるか否かを判断する（Ｓ１１３）。再生アプリが起動済みであれば（Ｓ１１３でＹＥＳ）、現在送信装置２００が再生アプリを使用して音楽ファイルを再生している、または、現在送信装置２００が音楽ファイルを再生していなくても音楽ファイルを再生可能な状況であるので、このまま送信装置２００との接続を維持する。
【００３６】
一方、再生アプリが起動済みでない場合（Ｓ１１３でＮＯ）、ＣＰＵ１は、現在無線接続している送信装置１００との接続を切断し、認証を解除して（Ｓ１０９）、Ｓ１０１に戻る。送信装置２００のＣＰＵ１１は、受信装置１００から無線接続を切断されたか否かを判断し（Ｓ２０７）、切断された場合（Ｓ２０７でＹＥＳ）、Ｓ２０１に戻って、再度、探索を待機する状態になる。
【００３７】
無線接続を維持した場合、受信装置１００のＣＰＵ１は、送信装置１００に音楽ファイルの再生指示を送信する（Ｓ１１４）。送信装置２００のＣＰＵ１１は、受信装置１００から音楽ファイルの再生指示を受信したか否かを判断している（Ｓ２１３）。受信した場合（Ｓ２１３でＹＥＳ）、ＣＰＵ１１は、音楽ファイルを再生し、音楽データを受信装置１００に送信する（Ｓ２１４）。受信装置１００のＣＰＵ１は、送信装置２００から音楽データを受信し、再生部５に音楽データを再生させ、スピーカー６から音声を出力する（Ｓ１１５）。
【００３８】
受信装置１００のＣＰＵ１は、Ｓ１０１に戻ると、再度、送信装置管理テーブルから別の送信装置２００を選択し、選択した送信装置２００を探索する。従って、受信装置１００は、再生アプリが起動済みの送信装置２００と接続するまで、送信装置２００の探索、接続、認証、および切断の処理を自動的に繰り返す。これにより、再生アプリを起動済みではない送信装置２００に受信装置１００が自動的に無線接続してしまい、受信装置が音楽データを再生できないことを防止できる。すなわち、受信装置は、再生アプリを起動済みの送信装置２００と自動的に無線接続し、音楽データを自動的に再生することができる。
【００３９】
なお、受信装置１００から音楽ファイルの再生指示を送信装置２００に送信することなく、単に接続を維持するようにしてもよい。この場合、送信装置２００が音楽ファイルを再生している場合には、音楽データが送信装置２００から受信装置１００に送信され、受信装置１００は音楽データを受信して再生できる。一方、送信装置２００が音楽ファイルを再生していない場合は、受信装置１００は音楽データを再生できないが、その後、ユーザ操作によって送信装置２００が音楽ファイルを再生開始すると、音楽データが送信装置２００から受信装置１００に送信され、受信装置１００は音楽データを受信して再生できるようになる。
【００４０】
次に、本発明のさらに別の好ましい実施形態を説明する。本実施形態では、（Ａ）受信装置１００は、受信されたステータスが再生中であるとき、送信装置２００との無線接続を維持する。（Ｂ）受信装置１００は、受信されたステータスが音楽ファイルを再生していないことを示すステータスであり、かつ、送信装置２００において再生アプリが起動済であると判断されたとき、（ｂ−１）所定時間以内に送信装置２００が音楽ファイルの再生を実行した場合、送信装置２００との接続を維持し、（ｂ−２）所定時間以内に送信装置２００が音楽ファイルの再生を実行しなかった場合、送信装置２００との接続を切断し、かつ、探索された他の送信装置２００と無線接続する。（Ｃ）受信装置１００は、受信されたステータスが音楽ファイルを再生していないことを示すステータスであり、かつ、送信装置２００において再生アプリが起動済でないとき、送信装置２００との接続を切断し、かつ、探索された他の送信装置２００と無線接続する。
【００４１】
図７は、受信装置１００のＣＰＵ１の処理を示すフローチャートである。図８は、送信装置２００のＣＰＵ１１の処理を示すフローチャートである。なお、図３、図４と同じ処理には同一符号を付し、説明を援用する。Ｓ１０３、Ｓ２０４において受信装置１００と送信装置２００とが無線接続および認証処理を実行したあと、受信装置１００のＣＰＵ１は、無線接続した送信装置２００に対して、音楽再生に関するステータスの送信を要求する（Ｓ１０４）。送信装置２００のＣＰＵ１１は、受信装置１００から音楽再生に関するステータスの送信要求を受信したか否かを判断している（Ｓ２０５）。受信した場合（Ｓ２０５でＹＥＳ）、ＣＰＵ１１は、音楽再生に関する現在のステータスを受信装置１００に送信する（Ｓ２０６）。
【００４２】
受信装置１００のＣＰＵ１は、送信装置２００から音楽再生に関するステータスを受信し（Ｓ１０５）、受信したステータスが「再生中」であるか否かを判断する（Ｓ１０６）。「再生中」であれば（Ｓ１０６でＹＥＳ）、送信装置２００が再生している音楽ファイルの音楽データを受信することができるので、このまま送信装置２００との接続を維持する（Ｓ１０７）。従って、受信装置１００のＣＰＵ１は、送信装置２００から音楽データを受信し、再生部５に音楽データを再生させ、スピーカー６から音声を出力する。
【００４３】
一方、受信したステータスが「再生中」でははなく「一時停止」や「停止」等の音楽ファイルを再生していないことを示すものであれば（Ｓ１０６でＮＯ）、受信装置１００のＣＰＵ１は、無線接続した送信装置２００に対して、再生アプリを起動済みであるか否かの問い合せを送信する（Ｓ１１１）。送信装置２００のＣＰＵ１１は、受信装置１００から再生アプリが起動済みであるかの問い合せを受信したか否かを判断している（Ｓ２１１）。受信した場合（Ｓ２１１でＹＥＳ）、ＣＰＵ１１は、再生アプリが起動済みであるかの情報を受信装置１００に送信する（Ｓ２１２）。
【００４４】
受信装置１００のＣＰＵ１は、送信装置２００から再生アプリを起動済みであるかの情報を受信し（Ｓ１１２）、送信装置２００において再生アプリが起動済みであるか否かを判断する（Ｓ１１３）。再生アプリが起動済みであれば（Ｓ１１３でＹＥＳ）、ＣＰＵ１は、送信装置２００が現在音楽ファイルを再生しているか否かを判断する（Ｓ１１６）。この判断は、Ｓ１０４〜Ｓ１０６のように送信装置２００にステータスを要求および受信することで判断してもよく、送信装置２００から実際に音楽データを受信しているか否かで判断してもよい。送信装置２００が現在音楽ファイルを再生している場合（Ｓ１１６でＹＥＳ）、このまま送信装置２００との接続を維持する。
【００４５】
送信装置２００が現在音楽ファイルを再生していない場合（Ｓ１１６でＮＯ）、ＣＰＵ１は、Ｓ１１３でＹＥＳと判断してからタイマーカウントを実行することによって所定時間（例えば５分）経過したか否かを判断する（Ｓ１１７）。未だ所定時間経過していなければ（Ｓ１１７でＮＯ）、処理はＳ１１６に戻る。一方、所定時間経過した場合（Ｓ１１７でＹＥＳ）、ＣＰＵ１は、現在無線接続している送信装置１００との接続を切断し、認証を解除して（Ｓ１０９）、Ｓ１０１に戻る。
【００４６】
また、Ｓ１１３において、再生アプリが起動済みでない場合（Ｓ１１３でＮＯ）、ＣＰＵ１は、現在無線接続している送信装置１００との接続を切断し、認証を解除して（Ｓ１０９）、Ｓ１０１に戻る。送信装置２００のＣＰＵ１１は、受信装置１００から無線接続を切断されたか否かを判断し（Ｓ２０７）、切断された場合（Ｓ２０７でＹＥＳ）、Ｓ２０１に戻って、再度、探索を待機する状態になる。
【００４７】
受信装置１００のＣＰＵ１は、Ｓ１０１に戻ると、再度、送信装置管理テーブルから別の送信装置２００を選択し、選択した送信装置２００を探索する。以上のように、受信装置１００は、無線接続した送信装置１００が音楽ファイルを再生中であれば、その送信装置２００との接続を維持する。受信装置１００は、無線接続した送信装置２００が、音楽ファイルを再生中ではないが再生アプリが起動済みである場合、所定時間以内に音楽ファイルの再生が実行されると、その送信装置２００と接続を維持するが、所定時間以内に音楽ファイルの再生が実行されないと、その送信装置２００との接続を切断する。また、受信装置１００は、無線接続した送信装置２００が音楽ファイルを再生中ではなく、再生アプリが起動済ではない場合、その送信装置２００との接続を切断する。これにより、受信装置１００が送信装置２００に無線接続したものの一向に音楽データを再生できないことを防止できる。
【００４８】
次に、本発明のさらに別の好ましい実施形態を説明する。本例では、例えば無線ＬＡＮ等のネットワークを使用して受信装置１００と送信装置２００とが無線接続する場合の実施例である。受信装置１００は、探索された全ての送信装置２００と一時的に無線接続する。受信装置１００は、探索された１または複数の送信装置２００の中から、第１優先順位として、ステータスが再生中である１つの送信装置と無線接続させる。受信装置１００は、ステータスが再生中である送信装置２００が存在しない場合に、第２優先順位として、再生アプリが起動済である１つの送信装置と無線接続させる。
【００４９】
図９は、受信装置１００のＣＰＵ１の処理を示すフローチャートである。送信装置２００のＣＰＵ１１の処理は図８と同様である。受信装置１００のＣＰＵ１は、送信装置２００を探索し（Ｓ１２１）、探索応答コマンドを受信した場合（Ｓ１２２でＹＥＳ）、探索応答コマンドを送信してきた全ての送信装置２００と一時的に接続する。
【００５０】
受信装置１００のＣＰＵ１は、接続した全ての送信装置２００に対して、音楽再生に関するステータスの送信を要求する（Ｓ１２４）。各送信装置２００のＣＰＵ１１は、受信装置１００から音楽再生に関するステータスの送信要求を受信したか否かを判断している（Ｓ２０５）。受信した場合（Ｓ２０５でＹＥＳ）、ＣＰＵ１１は、音楽再生に関する現在のステータスを受信装置１００に送信する（Ｓ２０６）。
【００５１】
受信装置１００のＣＰＵ１は、各送信装置２００から音楽再生に関するステータスを受信し（Ｓ１２５）、受信したステータスが「再生中」である送信装置２００が１つ以上存在するか否かを判断する（Ｓ１２６）。ステータスが「再生中」である送信装置２００が１つ以上存在すれば（Ｓ１２６でＹＥＳ）、ＣＰＵ１は、ステータスが「再生中」である送信装置２００の中から１つの送信装置２００（特に限定されないが例えば最初に応答した送信装置２００）を自動的に選択し、選択した送信装置２００との無線接続を維持し（Ｓ１２７）、他の送信装置２００との無線接続を切断する（Ｓ１３２）。すなわち、受信装置１００は、探索された複数の送信装置２００の中から第１優先順位として、ステータスが「再生中」である送信装置２００を選択して、無線接続する。
【００５２】
一方、ステータスが「再生中」である送信装置２００が存在しなければ（Ｓ１２６でＮＯ）、ＣＰＵ１は、無線接続した各送信装置２００に対して、再生アプリを起動済みであるか否かの問い合せを送信する（Ｓ１２８）。各送信装置２００のＣＰＵ１１は、受信装置１００から再生アプリが起動済みであるかの問い合せを受信したか否かを判断している（Ｓ２１１）。受信した場合（Ｓ２１１でＹＥＳ）、ＣＰＵ１１は、再生アプリが起動済みであるかの情報を受信装置１００に送信する（Ｓ２１２）。
【００５３】
受信装置１００のＣＰＵ１は、各送信装置２００から再生アプリを起動済みであるかの情報を受信し（Ｓ１２９）、再生アプリが起動済みである送信装置２００が１つ以上存在するか否かを判断する（Ｓ１３０）。再生アプリが起動済みである送信装置２００が１つ以上存在する場合（Ｓ１３０でＹＥＳ）、ＣＰＵ１は、再生アプリが起動済みである送信装置２００（特に限定されないが例えば最初に応答した送信装置２００）を自動的に１つ選択し、選択した送信装置２００との無線接続を維持し（Ｓ１３１）、他の送信装置２００との無線接続を切断する（Ｓ１３２）。すなわち、受信装置１００は、探索された複数の送信装置２００の中から第２優先順位として、再生アプリが起動済みである送信装置２００を選択して、無線接続する。
【００５４】
一方、再生アプリが起動済みである送信装置２００が存在しない場合（Ｓ１３０でＮＯ）、受信装置１００のＣＰＵ１は、一例として全ての送信装置２００との無線接続を切断する（１３３）。あるいは、他の例として、受信装置１００のＣＰＵ１は、自動的に任意の１つの送信装置２００を選択して、無線接続を維持してもよい。
【００５５】
次に本発明のさらに別の好ましい実施形態を説明する。本例では、上記の各実施形態において、送信装置２００がユーザ操作によって再生停止した場合の処理を説明する。図１０に示すように、送信装置２００のＣＰＵ１１は、ユーザ操作によって音楽ファイルの再生が停止されるか否かを判断する（Ｓ２４１）。再生停止する場合（Ｓ２４１でＹＥＳ）、受信装置１００のＣＰＵ１と、送信装置２００のＣＰＵ１１とは、無線接続を切断する（Ｓ１４１、Ｓ２４２）。その後、送信装置２００のＣＰＵ１１は、受信装置１００によって探索可能な状態に戻る（Ｓ２４３）。従って、再生停止した送信装置２００がいつまでも受信装置１００に接続されたままであることが防止され、他の再生中の送信装置２００が新たに受信装置２００に自動接続することができるようになる。
【００５６】
以上、本発明の好ましい実施形態を説明したが、本発明はこれらの実施形態には限定されない。音楽ファイル以外のコンテンツ（例えば、映像ファイルや静止画ファイル）を再生するものであってもよい。通信規格は、Bluetoothに限定されるものではなく、ＬＡＮ、ＨＤＭＩ、ＩＥＥＥ１３９４、ＵＳＢやその他の任意の通信規格を適宜選択して採用することができる。本発明の受信装置１００、送信装置２００を動作させるためのコンピュータプログラムまたはそのコンピュータプログラムを記録した記録媒体という形態で提供されてもよい。
【産業上の利用可能性】
【００５７】
本発明は例えば据置型オーディオ機器と携帯型音楽プレーヤとに好適に適用され得る。
【符号の説明】
【００５８】
１００      受信装置
１          ＣＰＵ
２          ＲＡＭ
３          ＲＯＭ
４          通信部
５          再生部
６          スピーカー
２００      送信装置
１１        ＣＰＵ
１２        ＲＡＭ
１３        ＲＯＭ
１４        フラッシュメモリ
１５        再生部
１６        表示部
１７        操作部
１８        通信部
【図１】
2012238922.tif 000003
【図２Ａ】
2012238922.tif 000004
【図２Ｂ】
2012238922.tif 000005
【図２Ｃ】
2012238922.tif 000006
【図３】
2012238922.tif 000007
【図４】
2012238922.tif 000008
【図５】
2012238922.tif 000009
【図６】
2012238922.tif 000010
【図７】
2012238922.tif 000011
【図８】
2012238922.tif 000012
【図９】
2012238922.tif 000013
【図１０】
2012238922.tif 000014